(57)【要約】【課題】  複雑な機構を用いることなく走行体を走行させ得ると共に、走行体自体に視覚的効果を付与してなる、興趣に富んだ可逆熱変色性走行玩具セットを提供する。【解決手段】  走行体２と、該走行体２が走行する軌道を備えた軌道玩具３とからなる走行玩具セット１であって、前記走行体２が、車体下方に磁石２２又は磁性体と回転自在な車輪２１とを備え、外周面の少なくとも一部が可逆熱変色性能を有する。前記軌道玩具３が、液体を貯溜する水槽部３３と、該水槽部３３内を通過する走行路３２と、該走行路３２下面に設けられる磁石又は磁性体３１２を一定の間隔で配置する環状ベルト部３１１と該ベルト部３１１を駆動する操作部３８とからなる搬送手段と、該搬送手段により搬送された走行体２が自走するスロープ部３５とを備える。【選択図】  図１
0003113852.tif 000002
【実用新案登録請求の範囲】
【請求項１】
走行体と、該走行体が走行する軌道を備えた軌道玩具とからなる走行玩具セットであって、前記走行体が、車体下方に磁石又は磁性体と回転自在な車輪とを備え、外周面の少なくとも一部が可逆熱変色性能を有すると共に、前記軌道玩具が、液体を貯溜する水槽部と、該水槽部内を通過する走行路と、該走行路下面に設けられる磁石又は磁性体を一定の間隔で配置する環状ベルト部と該ベルト部を駆動する操作部とからなる搬送手段と、該搬送手段により搬送された走行体が自走するスロープ部とを備えることを特徴とする可逆熱変色性走行玩具セット。
【請求項２】
少なくとも水槽部の前面を透明部材により形成することを特徴とする請求項１記載の可逆熱変色性走行玩具セット。
【請求項３】
前記水槽部内に氷槽部を設けてなることを特徴とする請求項１又は２に記載の可逆熱変色性走行玩具セット。
【請求項４】
前記スロープ部の下方終点が、前記走行路の始点に延設されることを特徴とする請求項１乃至３のいずれかに記載の可逆熱変色性走行玩具セット。
【請求項５】
前記スロープ部の下方終点にジャンプ台を延設してなることを特徴とする請求項１乃至４のいずれかに記載の可逆熱変色性走行玩具セット。
【請求項６】
前記水槽部の内底面をＵ字型に形成し、該Ｕ字部を走行路の一部とすることを特徴とする請求項１乃至５のいずれかに記載の可逆熱変色性走行玩具セット。
【請求項７】
前記軌道玩具の背面に吸盤を設けてなることを特徴とする請求項１乃至６のいずれかに記載の可逆熱変色性走行玩具セット。
【請求項８】
前記可逆熱変色性走行玩具セットが、変色具を備えてなることを特徴とする請求項１乃至７のいずれかに記載の可逆熱変色性走行玩具セット。
【考案の詳細な説明】
【技術分野】
【０００１】
本考案は、可逆熱変色性走行玩具セットに関する。更には、可逆熱変色性走行体と、該走行体が走行する軌道を備えた軌道玩具とからなる可逆熱変色性走行玩具セットに関する。
【背景技術】
【０００２】
従来より、磁石を有する走行体が走行する軌道として、磁石を一定間隔に配設した環状のチェーンを用いたものが提案されている（例えば、特許文献１参照）。
前記軌道は、チェーンを駆動することにより、軌道上に配置した走行体が磁石の吸引力を利用し、チェーンに配設された磁石の移動に伴って走行するものであるため、簡単な構造で走行体を可動できるものである。
【特許文献１】実開平２−３５７８８号公報
【考案の開示】
【考案が解決しようとする課題】
【０００３】
しかしながら、前記走行体はチェーンの駆動速度に合わせて誘導されるのみであり、走行体や玩具全体がアクション性に富むものではなかった。
【０００４】
本考案は、複雑な機構を用いることなく走行体を走行させ得ると共に、走行体自体に視覚的効果を付与してなる、興趣に富んだ可逆熱変色性走行玩具セットを提供するものである。
【課題を解決するための手段】
【０００５】
本考案は、走行体と、該走行体が走行する軌道を備えた軌道玩具とからなる走行玩具セットであって、前記走行体が、車体下方に磁石又は磁性体と回転自在な車輪とを備え、外周面の少なくとも一部が可逆熱変色性能を有すると共に、前記軌道玩具が、液体を貯溜する水槽部と、該水槽部内を通過する走行路と、該走行路下面に設けられる磁石又は磁性体を一定の間隔で配置する環状ベルト部と該ベルト部を駆動する操作部とからなる搬送手段と、該搬送手段により搬送された走行体が自走するスロープ部とを備えることを要件とする。
更に、少なくとも水槽部の前面を透明部材により形成すること、前記水槽部内に氷槽部を設けてなること、前記スロープ部の下方終点が、前記走行路の始点に延設されること、前記スロープ部の下方終点にジャンプ台を延設してなること、前記水槽部の内底面をＵ字型に形成し、該Ｕ字部を走行路の一部とすること、前記軌道玩具の背面に吸盤を設けてなることを要件とする。
更には、前記可逆熱変色性走行玩具セットが、変色具を備えてなることを要件とする。
【考案の効果】
【０００６】
本考案の請求項１により、複雑な機構を用いることなく走行体を駆動できると共に、走行体に視覚的効果を付与できる、アクション性及び興趣に富んだ玩具セットとなる。
【０００７】
請求項２により、水槽内での様相変化が直接視認できるものとなる。
【０００８】
請求項３により、水槽内の温度を容易且つ確実に低温に設定でき、走行体の変色時間を短縮することができる。
【０００９】
請求項４により、走行体の自走により、再び走行路の始点に誘導できる。
【００１０】
請求項５により、自走する走行体を軌道玩具から飛ばすことができる。その際、ジャンプ台を浴槽方向に向けることで、走行体が浴槽内に飛び込み、水槽通過前の様相に変化させることができる。
【００１１】
請求項６により、少量の液量で走行体の様相を変化させることができると共に、走行路に高低差を設けることが容易となり、スロープ部を有効に使用できる。
【００１２】
請求項７により、浴室や浴槽等の壁面に保持でき、利便性に優れたものとなる。
【００１３】
請求項８により、ユーザーが自由に走行体の色変えをすることができる。
【考案を実施するための最良の形態】
【００１４】
本考案の可逆熱変色性走行玩具セットは、車体下方に磁石又は磁性体と回転自在な車輪とを備えた可逆熱変色性走行体と、水槽部を備え、磁石又は磁性体を一定の間隔で配置する環状ベルト部を下面に配設する走行路とスロープ部とを軌道とする軌道玩具とから構成されており、前記環状ベルト部を駆動することで、走行体が走行路上を搬送されるものである。その際、走行体が水槽部内を通過することで、該走行体が様相変化を呈するものである。
【００１５】
前記走行体としては、車体に回転自在に配設された車輪を備え、該車体の走行路と近接する位置に磁石又は磁性体を設けたものが用いられる。尚、前記車体が金属等の磁性体により構成される場合は、別に磁石等を設ける必要は有しない。
更に、前記走行体の外周面の少なくとも一部に可逆熱変色性能を付与したものが適用される。
【００１６】
前記可逆熱変色性能は、可逆熱変色性材料をインキ形態として走行体に直接塗布、印刷したり、可逆熱変色性シール形態のものを貼付したり、樹脂組成物中に可逆熱変色性材料を混練して成形することにより付与できる。
【００１７】
前記可逆熱変色性材料としては、可逆熱変色性組成物を含むものが用いられ、前記組成物は電子供与性呈色性有機化合物と電子受容性化合物と呈色反応を可逆的に生起させる反応媒体の三成分を含む組成物が好適に用いられる。具体的には、特公昭５１−３５４１４号公報、特公昭５１−４４７０６号公報、特開平７−１８６５４０号公報に記載されている可逆熱変色性組成物が挙げられる。
また、本出願人が提案した特公平１−２９３９８号公報に記載した如き、温度変化による色濃度−温度曲線に関し、３℃以下のヒステリシス幅をもつ、高感度の可逆熱変色性組成物が挙げられる。
前記は所定の温度（変色点）を境としてその前後で変色し、変化前後の両状態のうち常温域では特定の一方の状態しか存在しえない。即ち、もう一方の状態は、その状態が発現するのに要する熱又は冷熱が適用されている間は維持されるが、前記熱又は冷熱の適用がなくなれば常温域で呈する状態に戻る、所謂、温度変化による温度−色濃度について小さいヒステリシス幅（ΔＨ）を示して変色するタイプである。
又、本出願人が提案した特公平４−１７１５４号公報に記載されている、大きなヒステリシス特性を示して変色する感温変色性色彩記憶性組成物、即ち、温度変化による着色濃度の変化をプロットした曲線の形状が、温度を変色温度域より低温側から温度を上昇させていく場合と逆に変色温度より高温側から下降させていく場合とで大きく異なる経路を辿って変色するタイプの変色材であり、低温側変色点と高温側変色点の間の常温域において、前記低温側変色点以下又は高温側変色点以上の温度で変化させた状態を記憶保持できる特徴を有する可逆熱変色性組成物も有効である。
【００１８】
又、加熱発色型の組成物として、消色状態からの加熱により発色する、本出願人の提案による、電子受容性化合物として、炭素数３乃至１８の直鎖又は側鎖アルキル基を有する特定のアルコキシフェノール化合物を適用した系（特開平１１−１２９６２３号公報、特開平１１−５９７３号公報）、或いは特定のヒドロキシ安息香酸エステルを適用した系（特開２００１−１０５７３２号公報）を挙げることができる。更には、没食子酸エステル等を適用した系（特開２００３−２５３１４９号公報）等を応用できる。
【００１９】
前記した可逆熱変色性組成物は、そのままの適用でも有効であるが、従来より公知の方法で得られるマイクロカプセルに内包して使用することが好ましい。それは、種々の使用条件において可逆熱変色性組成物は同一の組成に保たれ、同一の作用効果を奏することができるからである。
【００２０】
また、前記可逆熱変色性能を有する部分を保護するために、該可逆熱変色部上に透明性樹脂層を設けることができる。前記透明性樹脂層としては、従来より汎用の各種樹脂フィルムを貼付したり、樹脂を含有する液状組成物を塗布することで積層される。
更に、前記透明性樹脂層には、天然雲母、合成雲母、偏平ガラス片、酸化珪素、又は薄片状酸化アルミニウムから選ばれる材料を芯物質とし、金属酸化物で被覆した金属光沢顔料或いはコレステリック液晶型光輝性顔料等の光輝性顔料や、一般染料、一般顔料、紫外線吸収剤、酸化防止剤、老化防止剤、一重項酸素消光剤、スーパーオキシドアニオン消光剤、オゾン消色剤、可視光線吸収剤、赤外線吸収剤から選ばれる光安定剤等を添加することもできる。
【００２１】
前記軌道玩具は、走行体を冷却又は加温するための液体を貯溜する水槽部と、該水槽部内を通過する走行路と、該走行路より延設されるスロープ部とを有する。
更に、前記走行路の下面（内部）には、磁石又は磁性体を一定の間隔で配置する環状ベルト部が設けられており、走行体が走行路上に位置した際、磁力によって吸着保持できるようになっている。また、前記ベルト部は、操作部と共に搬送手段を構成しており、該操作部の作動により、走行路に沿って下面を駆動する構造となっている。前記操作部としては、モータによる電動式、ハンドル操作等による手動式のいずれを用いることもできるが、構造が簡易であり、ユーザーが自身が好きな速度で操作できることから手動式が好ましい。
【００２２】
前記走行路には水槽部が設けられており、搬送される走行体が水槽内を通過できるように構成されている。走行体が水槽部内を通過することで、可逆熱変色部が変色し、様相変化を呈する。その際、少なくとも水槽部の前面を透明部材により形成することで、前記水槽中での様相変化を視認できるものとなる。
また、冷却による様相変化を短時間で確実に行うために、前記水槽部内には氷槽部を設けて水槽内の温度を下げることもできる。
更に、前記水槽部の内底面をＵ字型に形成し、該Ｕ字部を走行路の一部とすることにより、少量の液量を有効に利用して走行体の様相を変化させることができると共に、走行路に高低差を設けることが容易となり、スロープ部を有効に使用できる。
【００２３】
前記スロープ部は、上方端部（上方始点）を走行路の終点と接続され、前記搬送手段により走行路終点まで搬送された走行体が自走する軌道である。前記スロープ部の下方端部（下方終点）を前記走行路の始点まで延設する（誘導路を設ける）ことで、スロープ部を自走した走行体を再び走行路へ誘導することができる。また、前記スロープ部の下方終点にジャンプ台を延設することで、スロープ部を自走した走行体が軌道玩具より飛び出すものとなる。そのため、浴室で使用した際には、走行体を湯船に飛び込ませて変色させることができるので、本考案の玩具はお風呂で使用することがより好ましい。
前記誘導路とジャンプ台を併設する場合、これらの軌道を切り替えるための切替部を設けることが好ましい。
【００２４】
前記構成により、搬送手段によって水槽内を通過した走行体が変色による様相変化を呈した後、走行路終点まで搬送され、スロープ部を自走して再び走行路の始点まで戻る、又は、スロープ部を自走して浴槽内に飛び込み元の様相に戻るというアクションを付与できる。
【００２５】
更に、軌道玩具本体の背面に吸盤を設けて、浴室や浴槽の内壁に吸着保持可能な構成とすることもできる。また、変色具を着脱自在に配置させることで、走行体を自由に変色させることが可能となると共に、付属品（変色具）の収容性を付与できる。
【００２６】
前記変色具としては、走行体に高温又は低温の液体を付着させるための道具であり、例えば、柄杓や、柄杓の受水部に複数の孔部を設けた散水具や、塗布部に多孔質体や繊維部材を用いた塗布具、スタンプ具等が用いられる。
【実施例】
【００２７】
本考案の実施例を以下の図面に従って説明する。
図１は本発明の可逆熱変色性走行玩具セットの斜視図であり、図２は軌道玩具の内部の図である。
本考案の可逆熱変色性走行玩具セット１は、走行体２と、軌道玩具３とから構成されている。
【００２８】
前記走行体２は、回転自在に配設される四個の車輪２１と、走行路３２に接触するように上下動する磁石２２とが車体に設けられている。また、走行体２の外周面は、白色の樹脂成形物に可逆熱変色性インキ（１５℃以下で赤色を示し、３３℃以上で消色する）を塗布することにより３３℃以上で救急車の様相を呈し、１５℃以下で消防車の様相を呈するように構成されている。
【００２９】
前記軌道玩具３は、樹脂成形物からなる本体３１外部に、走行体２を冷却するための液体を貯溜する水槽部３３と、該水槽部３３内を通過する走行路３２と、該走行路３２の終点から延設されるスロープ部３５と、該スロープ部３５の終点から走行路３２の始点に延設される誘導路３６及び前方に向けて延設されるジャンプ台３７を有する。また、本体３１正面には手動回転用ハンドルを備えた操作部３８が配設され、背面には壁面に吸着保持するための吸盤３９が設けられている。更に、側面には走行体２を変色させるために使用するシャワー柄杓（散水具）が変色具４として着脱自在に設けられている。
【００３０】
また、本体３１内部には、磁性体（金属片）３１２を一定の間隔で配置する環状ベルト部３１１が走行路３２の下面に位置するように設けられており、走行体２が走行路３２上に位置すると磁力によって吸着保持できるようになっている。
前記ベルト部３１１は、操作部３８と接続される、外周面に等間隔に突段部３１４を有する駆動用プーリ３１３と、ベルト部３１１を摺動自在に保持する三つの保持用プーリ３１５とによって保持されることで搬送手段を構成している。前記操作部３８を回すことによって駆動用プーリ３１３が回転し、本体３１内をベルト部３１１と共に金属片３１２が移動するので、走行路３２に沿って走行体２を搬送できる構造となっている。
【００３１】
前記水槽部３３は、前面を透明部材により形成すると共に、内底面が略Ｕ字型に形成されている。更に、前記Ｕ字部全体が走行路３２の一部になるように構成されており、走行路３２に高低差を設けるのに有効な構造となっている。
また、前記水槽部３３内には、内部を水槽部３３と連通する孔部３４１を備えた氷槽部３４が着脱自在に設けられており、氷槽部３４の上方開口部から水槽３３内に冷水を注水できるようになっている。
【００３２】
前記走行路３２の終点に接続されるスロープ部３５は、搬送手段により搬送された走行体２がそのまま自走できるように走行路３２から連接されている。また、前記スロープ部３５の下方終点には、切替部３６１によりコース変更ができるように、誘導路３６とジャンプ台３７とが設けられている。
前記走行路３２の始点まで延設される誘導路３６には、終点近傍に金属板を供えたストッパー３６２が可動自在に配置されている。前記切替部３６１により誘導路３６側をコースとすることで、スロープ部３５を自走してきた走行体２を再び走行路３２へ誘導したり、ストッパー３６２により誘導路３６終点で走行体２を停車させることが可能となる。
また、前記切替部３６１をジャンプ台３７側がコースになるように設定することで、スロープ部３５を自走してきた走行体２が勢いよく飛び出し、浴槽内に飛び込ませることができる。その際、走行体２が浴槽内で変色して水槽３３に入る前の様相に戻る。
【００３３】
更に、前記走行路３２、スロープ部３５、誘導路３６からなる軌道部には、走行時にコースから外れることを防止するためにガイドが形成されている。
【００３４】
前記構成により、走行体２が走行路３２の始点から搬送手段によって誘導され、水槽部３３内を走行して変色による様相変化を呈した後、走行路終点まで搬送されてスロープ部３５を自走する。その際、切替部３６１の切り替えによって誘導路３６を走行するか、ジャンプ台３７から飛び出して浴槽内で元の様相に戻るかというアクションを起こす。
また、走行体２は前記アクション以外にも変色具４を用いて容易に変色させることができるので、単独でも興趣に富んだ玩具として使用できる。
【図面の簡単な説明】
【００３５】
【図１】本考案の可逆熱変色性走行玩具セットの一実施例を示す斜視図である。
【図２】軌道玩具の本体内部を示す断面図である。
【符号の説明】
【００３６】
１  可逆熱変色性走行玩具セット
２  走行体
２１  車輪
２２  磁石
３  軌道玩具
３１  本体
３１１  環状ベルト部
３１２  磁性体
３１３  駆動用プーリ
３１４  突段部
３１５  保持用プーリ
３２  走行路
３３  水槽部
３４  氷槽部
３４１  孔部
３５  スロープ部
３６  誘導路
３６１  切替部
３６２  ストッパー
３７  ジャンプ台
３８  操作部
３９  吸盤
４  変色具
【図１】
0003113852.tif 000003
【図２】
0003113852.tif 000004